(57)【要約】      （修正有）【課題】複数の吐出ポートの独立した吐出機能を損なうことなく、吸入域空間において吸入ポートに連通する複数のポンプ室間を連通し、吸入ポートから吸入域空間に液体を吸入する吸い込み特性を向上し得る内接歯車ポンプを提供する。【解決手段】内歯３Ａと外歯４Ａとは、離壁１０上において相互に対向する一方の歯側面３Ｂ、４Ｂを、一方の吐出ポート８に連通するポンプ室Ｖ８と他方の吐出ポート９に連通するポンプ室Ｖ９との間を仕切る第１仕切隙間Ｘを設定する形状に形成する。また、吸入域空間Ｓにおいて相互に対向する他方の歯側面３Ｃ、４Ｃを、第１仕切隙間Ｘより隙間寸法を大きくして吸入ポート７に連通する複数のポンプ室Ｖ２、Ｖ３、Ｖ４間を連通する第２仕切隙間Ｙ１、Ｙ２を設定する形状に形成した。【選択図】図１
2015094252.tif 000002
【特許請求の範囲】
【請求項１】
ポンプ本体の収容孔に内歯を有するリング状の内歯歯車を回転自在に収容し、内歯歯車の内歯と内接噛み合いする外歯を有する外歯歯車を内歯歯車の内部に偏心して収容し、両歯車間には両歯車の回転により両歯間の噛み合い隙間が増加する領域に吸入域空間を形成し、両歯車の回転により両歯間の噛み合い隙間が減少する領域に吐出域空間を形成し、内歯歯車の内歯と外歯歯車の外歯とによりポンプ室を区画形成し、ポンプ室は両歯車の回転により吸入域空間で容積を増加し、吐出域空間で容積を減少して設け、収容孔に収容した両歯車の側面が摺接するポンプ本体の摺接面には、吸入域空間に連通して吸入ポートを開口すると共に、吐出域空間に連通して両歯車の回転方向に離間する少なくとも二つの吐出ポートを開口し、二つの吐出ポート間には離壁を備え、内歯と外歯とは、離壁上において相互に対向する回転方向の一方の歯面を、一方の吐出ポートに連通するポンプ室と他方の吐出ポートに連通するポンプ室との間を仕切る第１仕切隙間を設定する形状に形成すると共に、吸入域空間において相互に対向する回転方向の一方と反対側となる他方の歯面を、第１仕切隙間より隙間を大きくして吸入ポートに連通する複数のポンプ室間を連通する第２仕切隙間を設定する形状に形成したことを特徴とする内接歯車ポンプ
【請求項２】
前記外歯と前記内歯のいずれか一方は、前記他方の歯面を、歯先の頂点を最大曲率とし、歯底に向けて漸次曲率を小さくする曲線で形成し、前記外歯と前記内歯のいずれか他方は、前記他方の歯面を、前記曲線により創成される包絡曲線で形成することを特徴とする請求項１に記載の内接歯車ポンプ。
【請求項３】
前記外歯と前記内歯のいずれか一方は、前記一方の歯面を、円弧で形成し、前記外歯と前記内歯のいずれか他方は、前記一方の歯面を、前記円弧により創成される包絡曲線で形成することを特徴とする請求項１に記載の内接歯車ポンプ。
【発明の詳細な説明】
【技術分野】
【０００１】
本発明は、複数の吐出ポートを有する内接歯車ポンプに関する。
【背景技術】
【０００２】
この種の内接歯車ポンプは、ポンプ本体の収容孔に、内歯を有するリング状の内歯歯車を回転自在に収容し、この内歯歯車の内歯と内接噛み合いする外歯を有する外歯歯車を内歯歯車の内部に偏心して収容し、両歯車の側面が摺接するポンプ本体の摺接面には、両歯車の回転に伴い両歯間の噛み合い隙間が増加する吸入域空間に連通して吸入ポートを開口すると共に、両歯間の噛み合い隙間が減少する吐出域空間に連通して、両歯車の回転方向に離間して二つの吐出ポートを開口して形成し、内歯歯車の内歯と外歯歯車の外歯とによりポンプ室を区画形成し、ポンプ室は両歯車の回転により吸入域空間で容積を増加し、吐出域空間で容積を減少している。そして、外歯歯車の外歯と内歯歯車の内歯とが、一方の吐出ポートと他方の吐出ポートとの周方向間で見かけ上接触し、この接触により二つの吐出ポート間の連通を遮断し、一方の吐出ポートと他方の吐出ポートとは互いに独立した吐出機能を有している。
【先行技術文献】
【特許文献】
【０００３】
【特許文献１】特開平８−１１４１８６号公報
【発明の概要】
【発明が解決しようとする課題】
【０００４】
ところが、かかる従来の内接歯車ポンプでは、外歯歯車の外歯と内歯歯車の内歯とが、回転方向の全周にわたり見かけ上接触するため、吸入域空間において、内歯と外歯とにより区画形成する複数のポンプ室間の連通が遮断され、吸入ポートから吸入域空間に液体を吸入する吸い込み特性が悪くなる問題があった。
【０００５】
本発明の課題は、複数の吐出ポートの独立した吐出機能を損なうことなく、吸入域空間において吸入ポートに連通する複数のポンプ室間を連通し、吸入ポートから吸入域空間に液体を吸入する吸い込み特性を向上し得る内接歯車ポンプを提供するものである。
【課題を解決するための手段】
【０００６】
かかる課題を達成すべく、本発明は次の手段をとった。即ち、
ポンプ本体の収容孔に内歯を有するリング状の内歯歯車を回転自在に収容し、内歯歯車の内歯と内接噛み合いする外歯を有する外歯歯車を内歯歯車の内部に偏心して収容し、両歯車間には両歯車の回転により両歯間の噛み合い隙間が増加する領域に吸入域空間を形成し、両歯車の回転により両歯間の噛み合い隙間が減少する領域に吐出域空間を形成し、内歯歯車の内歯と外歯歯車の外歯とによりポンプ室を区画形成し、ポンプ室は両歯車の回転により吸入域空間で容積を増加し、吐出域空間で容積を減少して設け、収容孔に収容した両歯車の側面が摺接するポンプ本体の摺接面には、吸入域空間に連通して吸入ポートを開口すると共に、吐出域空間に連通して両歯車の回転方向に離間する少なくとも二つの吐出ポートを開口し、二つの吐出ポート間には離壁を備え、内歯と外歯とは、離壁上において相互に対向する回転方向の一方の歯側面を、一方の吐出ポートに連通するポンプ室と他方の吐出ポートに連通するポンプ室との間を仕切る第１仕切隙間を設定する形状に形成すると共に、吸入域空間において相互に対向する回転方向の一方と反対側となる他方の歯側面を、第１仕切隙間より隙間寸法を大きくして吸入ポートに連通する複数のポンプ室間を連通する第２仕切隙間を設定する形状に形成したことを特徴とする内接歯車ポンプがそれである。
【０００７】
この場合、前記外歯と前記内歯のいずれか一方は、前記他方の歯側面を、歯先の頂点を最大曲率とし、歯底に向けて漸次曲率を小さくする曲線で形成し、前記外歯と前記内歯のいずれか他方は、前記他方の歯側面を、前記曲線により創成される包絡曲線で形成してもよい。また、前記外歯と前記内歯のいずれか一方は、前記一方の歯側面を、円弧で形成し、前記外歯と前記内歯のいずれか他方は、前記一方の歯側面を、前記円弧により創成される包絡曲線で形成してもよい。
【発明の効果】
【０００８】
以上詳述したように、請求項１に記載の発明は、内歯と外歯とは、離壁上において相互に対向する回転方向の一方の歯側面を、一方の吐出ポートに連通するポンプ室と他方の吐出ポートに連通するポンプ室との間を仕切る第１仕切隙間を設定する形状に形成すると共に、吸入域空間において相互に対向する回転方向の一方と反対側となる他方の歯側面を、第１仕切隙間より隙間寸法を大きくして吸入ポートに連通する複数のポンプ室間を連通する第２仕切隙間を設定する形状に形成した。このため、両歯車の回転において、吸入域空間で、外歯歯車の外歯と内歯歯車の内歯とを非接触にできるから、吸入ポートに連通する複数のポンプ室間を連通できて、吸入ポートから吸入域空間に液体を吸入する吸い込み特性を向上することができる。そして、吐出域空間の離壁上では、外歯と内歯とで一方の吐出ポートに連通するポンプ室と他方の吐出ポートに連通するポンプ室との間を仕切るから、複数の吐出ポートの独立した吐出機能を損なうことなくできる。
【０００９】
また、請求項２に記載の発明は、請求項１に記載の発明の効果に加え、外歯と内歯のいずれか一方は、他方の歯側面を、歯先の頂点を最大曲率とし、歯底に向けて漸次曲率を小さくする曲線で形成し、外歯と内歯のいずれか他方は、他方の歯側面を、前記曲線により創成される包絡曲線で形成する。このため、内歯と外歯との噛合いにおいて、噛合い速度が不連続に変動することを抑制でき、内歯と外歯との噛合いが滑らかに推移し、騒音の発生を低減することができる。
【００１０】
また、請求項３に記載の発明は、請求項１に記載の発明の効果に加え、外歯と内歯のいずれか一方は、一方の歯側面を、円弧で形成し、外歯と内歯のいずれか他方は、一方の歯側面を、前記円弧により創成される包絡曲線で形成する。このため、円弧は一つの半径で形成することができ、簡単に形成することができる。
【図面の簡単な説明】
【００１１】
【図１】本発明の一実施形態を示した内接歯車ポンプの断面図である。
【図２】図１とは異なる作動状態を示した断面図である。
【図３】図１の要部Ｂの拡大図である。
【図４】図１の要部Ｃの拡大図である。
【図５】式１による歯形の模式図である。
【図６】式２から式５による歯形の模式図である。
【発明を実施するための形態】
【００１２】
以下、本発明の一実施形態を図面に基づき説明する。
図１および図２において、１はポンプ本体で、有底の収容孔２を一端面に開口形成し、この収容孔２の開口は、図示しない蓋部材で閉じている。３はリング状の内歯歯車で、１２個の内歯３Ａを有し、回転中心Ｈを中心として収容孔２へ回転自在に収容している。４は外歯歯車で、内歯３Ａと内接噛み合いする１１個の外歯４Ａを有し、内歯歯車３の内部に回転中心Ｈと偏心した回転中心Ｈ１を中心として回転自在に収容している。そして、両歯車３、４の側面は有底の収装孔２の摺接面としての底面２Ａに摺接している。外歯歯車２は中心に貫通孔５を軸方向へ貫通形成し、貫通孔５の径方向へ対向する２箇所に内方へ突出して凸部５Ａを形成している。６は駆動軸で、径方向の対向する２箇所に凹部６Ａを窪み形成し、貫通孔５へ嵌装して凹部６Ａに凸部５Ａを係合し、外歯歯車６を回転駆動する。
【００１３】
Ｓは吸入域空間、Ｐは吐出域空間、Ｍは最大容積空間でそれぞれ両歯車３、４間に備え、吸入域空間Ｓは両歯車３、４の回転により両歯３Ａ、４Ａ間の噛み合い隙間が増加する領域に形成している。吐出域空間Ｐは両歯車３、４の回転により両歯３Ａ、４Ａ間の噛み合い隙間が減少する領域に形成している。最大容積空間Ｍは吸入域空間Ｓと吐出域空間Ｐとの間で両歯車３、４の回転により両歯３Ａ、４Ａ間の噛み合い隙間が最大となる領域に形成している。７は吸入域空間Ｓに連通する吸入ポートで、収容孔２の底面２Ａに窪み形成して開口し、ポンプ本体１に形成の図示しない吸入流路に接続している。Ｖ１、Ｖ２、Ｖ３、Ｖ４、Ｖ５、Ｖ６、Ｖ７、Ｖ８、Ｖ９、Ｖ１０はポンプ室で、内歯歯車３の内歯３Ａと外歯歯車４の外歯４Ａとにより区画形成している。吸入域空間Ｓに位置するポンプ室Ｖ１、Ｖ２、Ｖ３、Ｖ４、Ｖ５は両歯車３、４の回転により容積を増加する。最大容積空間Ｍに位置するポンプ室Ｖ６は容積を最大にする。吐出域空間Ｐに位置するポンプ室Ｖ７、Ｖ８、Ｖ９、Ｖ１０は両歯車３、４の回転により容積を減少する。
【００１４】
８、９は吐出域空間Ｐに連通して両歯車３、４の回転方向Ａに離間する二つの吐出ポートで、両歯車３、４の回転方向Ａの後方側に位置する一方の吐出ポート８と回転方向Ａの前方側に位置する他方の吐出ポート９とから成る。回転方向Ａの後方側に位置する一方の吐出ポート８はシフトコントロールバルブ等の高圧の油圧回路に連通して高圧とし、収容孔２の底面２Ａに窪み形成して開口している。回転方向Ａの前方側に位置する吐出ポート９は、潤滑や冷却のための低圧の油圧回路に連通して回転方向Ａの後方側に位置する吐出ポート８の圧力より低圧とし、収容孔２の底面２Ａに窪み形成して開口している。
【００１５】
１０は離壁で、両歯車３、４の回転方向Ａに離間する二つの吐出ポート８、９間に備え、離壁１０は高圧となる一方の吐出ポート８と低圧となる他方の吐出ポート９を窪み形成する収容孔２の底面２Ａに設けている。離壁１０上に位置する内歯歯車３の内歯３Ａと外歯歯車４の外歯４Ａとの間には、回転方向Ａの後方側に位置する一方の吐出ポート８に連通するポンプ室Ｖ８と回転方向Ａの前方側に位置する他方の吐出ポート９に連通するポンプ室Ｖ９との間を仕切る第１仕切隙間Ｘを形成している。第１仕切隙間Ｘは、相互に対向する回転方向Ａの内歯３Ａの一方の歯側面３Ｂと外歯４Ａの一方の歯側面４Ｂとの間に形成し、後述詳記するとおり隙間寸法を設定している。
【００１６】
Ｙ１は吸入域空間Ｓにおいて、吸入ポート７に連通するポンプ室Ｖ３、Ｖ４の間を連通する第２仕切隙間、Ｙ２は吸入域空間Ｓにおいて、吸入ポート７に連通するポンプ室Ｖ２、Ｖ３の間を連通する第２仕切隙間である。各第２仕切隙間Ｙ１、Ｙ２は、相互に対向する回転方向Ａの一方と反対側となる内歯３Ａの他方の歯側面３Ｃと外歯４Ａの他方の歯側面４Ｃとの間に形成し、隙間寸法を後述詳記するとおり設定している。そして、第２仕切隙間Ｙ１、Ｙ２は第１仕切隙間Ｘより隙間寸法を大きく設定している。
【００１７】
Ｚ１は最大容積空間Ｍと吐出域空間Ｐとの間を仕切る第３仕切隙間、Ｚ２は最大容積空間Ｍと吸入域空間Ｓとの間を仕切る第４仕切隙間で、それぞれ内歯３Ａの歯先と外歯４Ａの歯先との間に形成し、隙間寸法を第１仕切隙間Ｘと略同等に設定している。
【００１８】
離壁１０は、図１に示すポンプ室Ｖ８が両歯車３、４の回転で、図２に示すよう離壁１０に一つのポンプ室Ｖ８として位置した状態で、ポンプ室Ｖ８を二つの吐出ポート８、９のいずれにも連通させずに閉じ込み状態とするよう、両歯車３、４の回転方向Ａの長さ寸法をポンプ室Ｖ８の長さ寸法と略同等か若干長く設ける。
【００１９】
図３および図４に、内歯歯車３の内歯３Ａと外歯歯車４の外歯４Ａの歯形形状の詳細を示す。
内歯３Ａの一方の歯側面３Ｂは、歯先の頂点３Ｄと歯底側の点３Ｅとの間を半径Ｒ１の円弧で形成している。半径Ｒ１の円弧の中心点Ｃ１は、内歯歯車３の中心Ｈ（図１に示す）と内歯３Ａの歯先の頂点３Ｄとを結ぶ線上に位置している。外歯４Ａの一方の歯側面４Ｂは、内歯３Ａの一方の歯側面３Ｂを形成する半径Ｒ１の円弧により創成される包絡曲線で、歯先の頂点４Ｄと歯底の中心点４Ｅとの間を形成している。第１仕切隙間Ｘは、離壁１０上において相互に対向する、内歯３Ａの一方の歯側面３Ｂを形成した半径Ｒ１の円弧と、外歯４Ａの一方の歯側面４Ｂを形成した半径Ｒ１の円弧により創成される包絡曲線とにより隙間寸法を設定している。そして、第１仕切隙間Ｘの隙間寸法は、半径Ｒ１の変更に伴い変更される。
【００２０】
内歯３Ａの他方の歯側面３Ｃは、歯先の頂点３Ｄを最大曲率として歯底側の点３Ｆに向けて漸次曲率を小さくする曲線Ｌで形成している。曲線Ｌは以下の式（１）〜（５）で求める。
ｒ＝ｒｏ−ｄｒ・ｃｏｓθ  式（１）
Ｐｘ＝（ｒｏ−ｄｒ）＋１／４ｄｒ｛１−ｃｏｓ（２θ）｝  式（２）
Ｐｙ＝１／４ｄｒ｛−２θ＋ｓｉｎ（２θ）｝  式（３）
Ｑｘ＝Ｐｘ−ｒ・ｃｏｓθ  式（４）
Ｑｙ＝Ｐｙ＋ｒ・ｓｉｎθ  式（５）
但し、
ｒは曲線の半径、
ｒｏは基準径、
ｄｒは変分量、
θは媒介変数、
Ｐｘは軌道中心のＸ座標、
Ｐｙは軌道中心のＹ座標、
Ｑｘは軌道中心（Ｐｘ，Ｐｙ）により生成される曲線上の点のＸ座標、
Ｑｙは軌道中心（Ｐｘ，Ｐｙ）により生成される曲線上の点のＹ座標、
である。
【００２１】
図５に、式１による歯形の模式図を示す。図５は、縦軸に曲線Ｌの半径ｒをとり、横軸に媒介変数θをとり、θが０からπ／２に推移するのに伴いｒがｒｏ−ｄｒからｒｏに推移することを図化している。
【００２２】
図６に、式２から式５による歯形の模式図を示す。図６は、曲線Ｌを形成する半径ｒの軌道中心ＰのＸ，Ｙ座標と、軌道中心Ｐにより生成される曲線Ｌ上の点ＱのＸ，Ｙ座標を、媒介変数θに応じて推移することを図化している。
【００２３】
図３および図４に示す如き、外歯４Ａの他方の歯側面４Ｃは、内歯３Ａの他方の歯側面３Ｃを形成する曲線Ｌにより創成される包絡曲線で、歯先の頂点４Ｆと歯底の中心点４Ｅとの間を形成している。第２仕切隙間Ｙ１、Ｙ２（図１に示す）は、吸入域空間Ｓにおいて相互に対向する、内歯３Ａの他方の歯側面３Ｃを形成した曲線Ｌと、外歯４Ａの他方の歯側面４Ｃを形成した曲線Ｌにより創成される包絡曲線とにより隙間寸法を設定している。そして、第２仕切隙間Ｙ１、Ｙ２の隙間寸法は、基準径ｒｏおよび変分量ｄｒの変更に伴い変更される。外歯４Ａは、一歯を、歯先の頂点４Ｄと歯底の中央点４Ｅとの間を結ぶ半径Ｒ１の円弧で創成される包絡曲線（一方の歯側面４Ｂ）と、歯底の中心点４Ｅと歯先の頂点４Ｆとの間を結ぶ曲線Ｌにより創成される包絡曲線（他方の歯側面４Ｃ）とで構成する。
【００２４】
内歯３Ａの歯底面３Ｇは、外歯４Ａの歯先の頂点４Ｄが干渉しない半径Ｒ２の円弧で形成し、一方の歯側面３Ｂ側の点３Ｈと他方の歯側面３Ｃ側の点３Ｉとの間を結んでいる。３Ｊは内歯３Ａの一方の歯側面３Ｂと歯底面３Ｇとの間を接続する第１接続面で、半径Ｒ３の円弧で形成し、点３Ｅ、３Ｈ間を結んでいる。３Ｋは他方の歯側面３Ｃと歯底面３Ｇとの間を接続する第２接続面で、半径Ｒ４の円弧で形成し、点３Ｆ、３Ｉ間を結んでいる。内歯３Ａは、一歯を、一方の歯側面３Ｂと、他方の歯側面３Ｃと、歯底面３Ｇと、第１接続面３Ｊと、第２接続面３Ｋとで構成している。
【００２５】
次に、かかる構成の作動を説明する。
駆動軸６により外歯歯車４を回転駆動すると、外歯歯車４と内接噛み合いする内歯歯車３が回転駆動され、油が吸入ポート７より吸入域空間Ｓで容積を増大するポンプ室Ｖ１〜Ｖ５に吸入されて最大容積空間Ｍを経て吐出域空間Ｐに搬送され、吐出域空間Ｐでポンプ室Ｖ７〜Ｖ１０が容積を減少することで高圧となる吐出ポート８および低圧となる吐出ポート９より吐出される。そして、高圧となる吐出ポート８より吐出された油はシフトコントロールバルブ等の高圧の油圧回路に供給される。また、低圧となる吐出ポート９より吐出された油は潤滑や冷却のための低圧の油圧回路に供給される。
【００２６】
かかる作動で、内歯３Ａと外歯４Ａとは、離壁１０上において相互に対向する回転方向Ａの一方の歯側面３Ｂ、４Ｂを、一方の吐出ポート８に連通するポンプ室Ｖ８と他方の吐出ポート９に連通するポンプ室Ｖ９との間を仕切る第１仕切隙間Ｘを設定する形状に形成すると共に、吸入域空間Ｓにおいて相互に対向する回転方向Ａの一方と反対側となる他方の歯側面３Ｃ、４Ｃを、第１仕切隙間Ｘより隙間寸法を大きくして吸入ポート７に連通する複数のポンプ室Ｖ３、Ｖ４間を連通する第２仕切隙間Ｙ１およびポンプ室Ｖ２、Ｖ３間を連通する第２仕切隙間Ｙ２を設定する形状に形成した。このため、両歯車３、４の回転で、吸入域空間Ｓにおいて、外歯歯車４の外歯４Ａと内歯歯車３の内歯３Ａとを非接触にできるから、吸入ポート７に連通する複数のポンプ室Ｖ２、Ｖ３、Ｖ４間を連通できて、吸入ポート７から吸入域空間Ｓに油を吸入する吸い込み特性を向上することができる。そして、吐出域空間Ｐの離壁１０上では、外歯４Ａと内歯３Ａとで一方の吐出ポート８に連通するポンプ室Ｖ８と他方の吐出ポート９に連通するポンプ室Ｖ９との間を仕切るから、複数の吐出ポート８、９の独立した吐出機能を損なうことなくできる。
【００２７】
また、内歯３Ａは、他方の歯側面３Ｃを、歯先の頂点３Ｄを最大曲率とし、歯底に向けて漸次曲率を小さくする曲線Ｌで形成し、外歯４Ａは、他方の歯側面４Ｃを、曲線Ｌにより創成される包絡曲線で形成する。このため、内歯３Ａと外歯４Ａとの噛合いにおいて、噛合い速度が不連続に変動することを抑制でき、内歯３Ａと外歯４Ａとの噛合いが滑らかに推移し、騒音の発生を低減することができる。
【００２８】
また、内歯３Ａは、一方の歯側面３Ｂを、円弧で形成し、外歯４Ａは、一方の歯側面４Ｂを、前記円弧により創成される包絡曲線で形成する。このため、円弧は一つの半径Ｒ１で形成することができ、簡単に形成することができる。
【００２９】
また、両歯車３、４の回転方向Ａの後方側に位置する一方の吐出ポート８の圧力を高圧にし、両歯車３、４の回転方向Ａの前方側に位置する他方の吐出ポート９の圧力を後方側に位置する一方の吐出ポート８の圧力より低圧にする。このため、高圧となる吐出ポート８が開口する箇所では、内歯歯車３の内周側に作用する圧力が、高圧となる吐出ポート８から内歯歯車３の側面を介して外周側に漏出して内歯歯車３の外周側に作用する圧力より高くなり、内歯歯車６は内周側に作用する圧力と外周側に作用する圧力との圧力差に基づく作用力で二つの吐出ポート８、９が位置する側、すなわち図１の右方向側に向けて収装孔２内周面に押圧される。また、外歯歯車４は、外周側に作用する吸入ポート７の圧力と二つの吐出ポート８、９の圧力との圧力差に基づく作用力で吸入ポート７が位置する側、すなわち図１の左方向側に向けて押圧される。よって、内歯歯車３と外歯歯車４とは相反する反対方向に押圧されるから、両歯間３、４の噛み合い隙間が最小となる位置近傍にある最適噛み合い位置より回転方向Ａの前方側にずれ易くなる従来のポンプに比し、内歯３Ａと外歯４Ａとの噛み合い位置が、両歯３Ａ、４Ａ間の噛み合い隙間が最小となる位置近傍にある最適噛み合い位置に安定して位置でき、騒音、振動を低減することができる。
【００３０】
なお、一実施形態では、内歯３Ａの一方の歯面３Ｂを円弧で形成したが、トロコイド曲線やサイクロイド曲線で形成しても良い。また、内歯３Ａの一方の歯面３Ｂを円弧で形成し、外歯４Ａの一方の歯面４Ｂを円弧により創成される包絡曲線で形成したが、逆に、外歯４Ａの一方の歯面４Ｂを円弧で形成し、内歯３Ａの一方の歯面３Ｂを円弧により創成される包絡曲線で形成しても良い。また、二つの吐出ポート８、９を設けたが、三つ以上の吐出ポートを設けても良い。さらにまた、両歯車３、４の回転方向Ａの後方側に位置する吐出ポート８を高圧として回転方向Ａの前方側に位置する吐出ポート９を低圧としたが、回転方向Ａの後方側に位置する吐出ポート８を低圧として回転方向Ａの前方側に位置する吐出ポート９を高圧としても良いことは勿論である。
【符号の説明】
【００３１】
１：ポンプ本体
２：収容孔
２Ａ：底面（摺接面）
３：内歯歯車
３Ａ：内歯
３Ｂ、４Ｂ：一方の歯面
３Ｃ、４Ｃ：他方の歯面
４：外歯歯車
４Ａ：外歯
７：吸入ポート
８、９：吐出ポート
１０：離壁
Ｖ１、Ｖ２、Ｖ３、Ｖ４、Ｖ５、Ｖ６、Ｖ７、Ｖ８、Ｖ９、Ｖ１０：ポンプ室
Ｓ：吸入域空間
Ｐ：吐出域空間
Ｘ：第１仕切隙間
Ｙ１、Ｙ２：第２仕切隙間
【図１】
2015094252.tif 000003
【図２】
2015094252.tif 000004
【図３】
2015094252.tif 000005
【図４】
2015094252.tif 000006
【図５】
2015094252.tif 000007
【図６】
2015094252.tif 000008